(57)【要約】【課題】他の機器の表示状態で、別の機器で危険な設定状態となった時に、この危険状態を、使用者の分かりやすいように表示したリモコン装置を提供する。【解決手段】複数機器の運転状態や設定条件を表示する表示部４と、複数機器の内どの機器の運転状態や設定条件を表示するかを選択する選択スイッチ３０や、各種の運転指示を行う各スイッチを備えた操作部５とを設けたリモコン装置１で、少なくとも各種運転指示の一つは給湯機の給湯温度の設定を行うと共に、設定された給湯温度を表示部に給湯画面１４として表示するもので、前記給湯温度が所定温度以上に設定された場合には、前記表示部には給湯画面を優先して表示し、危険を未然に回避出来、常に安心して使用出来るものである。【選択図】図３
2007040558.tif 000002
【特許請求の範囲】
【請求項１】
複数機器の運転状態や設定条件を表示する表示部と、複数機器の内どの機器の運転状態や設定条件を表示するかを選択する選択スイッチや、各種の運転指示を行う各スイッチを備えた操作部とを設けたリモコン装置で、少なくとも各種運転指示の一つは給湯機の給湯温度の設定を行うと共に、設定された給湯温度を表示部に給湯画面として表示するもので、前記給湯温度が所定温度以上に設定された場合には、前記表示部には給湯画面を優先して表示する事を特徴とするリモコン装置。
【請求項２】
前記給湯温度が所定温度以上に設定された場合で、且つ前記選択スイッチにて給湯機以外の機器の運転状態や設定条件を表示する操作を行った場合には、給湯機以外の機器に応じた表示を行い、スイッチ操作から所定時間経過後に前記表示部は自動で給湯画面に切り替わって表示する事を特徴とする請求項１記載のリモコン装置。
【請求項３】
前記給湯画面に切り替わる時には、音声にて画面変更を知らせる事を特徴とする請求項１又は２記載のリモコン装置。
【発明の詳細な説明】
【技術分野】
【０００１】
この発明は、給湯機等のリモコン装置に関するものである。
【背景技術】
【０００２】
従来よりこの種のリモコン装置では、給湯機の操作や表示の他に他の機器である浴室暖房機の制御も行うことで、使用者がわざわざ浴室まで行って操作する手間を省き、操作性の向上を図るものであり、給湯機使用状態では他の機器の表示状態でも、決められた位置にその旨を表示するものであった。（例えば、特許文献１参照）
【特許文献１】特開２００３−１６３９８０号公報
【発明の開示】
【発明が解決しようとする課題】
【０００３】
ところでこの従来のものでは、画面の特定部分でメイン表示の妨げにならない位置に、給湯温度や高温注意の警告、給湯機の運転状態が文字により表示されているが、しかし、あくまでサブ的な文字による表示の為、リモコン装置を見ても直感的に状態を判断することが出来ず、リモコン装置の近くまで行かないと表示されている給湯機の表示内容を確認出来ないと言う不具合を有し、極めて使用勝手が悪いものであった。
【課題を解決するための手段】
【０００４】
この発明はこの点に着目し、上記欠点を解決する為、特にその構成を、複数機器の運転状態や設定条件を表示する表示部と、複数機器の内どの機器の運転状態や設定条件を表示するかを選択する選択スイッチや、各種の運転指示を行う各スイッチを備えた操作部とを設けたリモコン装置で、少なくとも各種運転指示の一つは給湯機の給湯温度の設定を行うと共に、設定された給湯温度を表示部に給湯画面として表示するもので、前記給湯温度が所定温度以上に設定された場合には、前記表示部には給湯画面を優先して表示するものである。
【０００５】
また、前記給湯温度が所定温度以上に設定された場合で、且つ前記選択スイッチにて給湯機以外の機器の運転状態や設定条件を表示する操作を行った場合には、給湯機以外の機器に応じた表示を行い、スイッチ操作から所定時間経過後に前記表示部は自動で給湯画面に切り替わって表示するものである。
【０００６】
また、前記給湯画面に切り替わる時には、音声にて画面変更を知らせるようにしたものである。
【発明の効果】
【０００７】
この発明によれば、給湯の設定温度が高温で危険な設定状態である時に優先して給湯画面を表示して離れた場所からでも知ることができ、危険を未然に回避でき、常に安心して使用できるものである。
また、給湯温度が所定温度以上に設定された場合で、且つ前記選択スイッチにて給湯機以外の機器の運転状態や設定条件を表示する操作を行った場合には、給湯機以外の機器に応じた表示を行い、設定条件の変更や確認を行った後に自動で給湯画面に戻るので、より安心して使用できるものである。
また、前記給湯画面に切り替わる時には、音声にて画面変更を知らせるので、リモコン装置が故障したような疑いをユーザーに与える事がないものである。
【発明を実施するための最良の形態】
【０００８】
次にこの発明の一実施形態のリモコン装置を図面に基づき説明する。
１はヒートポンプ式の給湯機２及び室の暖房装置３を制御するリコモン装置で、液晶ディスプレーから成るタッチパネル方式の表示部４と、該表示部４の表示内容を変更する操作部５と、各種運転状態を表示する表示ランプ群６と音声等を発するスピーカ７から構成されている。
【０００９】
前記表示部４には、操作部５の給湯スイッチ８の押圧で、残湯量表示９、給湯温度表示１０や給湯温度を設定するアップ、ダウンスイッチ１１、１２、ふろ自動スイッチ１３等の給湯画面１４が表示され、アップ、ダウンスイッチ１１、１２の操作で給湯温度の変更を行うと共に、ふろ自動スイッチ１３の押圧で給湯機にふろ自動運転を行わせるものである。
【００１０】
又操作部５の暖房スイッチ１５の押圧では、表示部４が暖房画面１６に切り替わり、暖房可能な三室の状態を表示するもので、暖房室表示１７の初期表示は「暖房Ａ」、「暖房Ｂ」、「暖房Ｃ」の文字表示され、この表示の下方に現在状況表示１８を「ＯＮ」、「ＯＦＦ」でそれぞれ表示すると共に、最下方にはそれぞれの入切スイッチ１９が表示され、更に右端にはこの全室の暖房を同時に切状態とする全切スイッチ２０が表示されており、画面背景２１は白色としている。
【００１１】
更に操作部５の生活情報スイッチ２２の押圧では、表示部４が情報画面２３に切り替わり、ネットワーク２４を介して決められたサーバ２５から各種の情報を取り出し可能な画面となり、地域情報の回覧板を取り出すお知らせスイッチ２６、最新のニユースを取り出すニユーススイッチ２７、今日或いは一週間の天気を取り出す天気スイッチ２８、色々な料理のレシピを取り出すレシピスイッチ２９が表示されており、前記の給湯スイッチ８と暖房スイッチ１５、生活情報スイッチ２２で選択スイッチ３０を構成している。
【００１２】
３１は押圧することで浴室リモコン（図示せず）との間でインターホン通話とした通話スイッチ、３２は伝言の記憶及び再生及び消去用の伝言スイッチ、３３は省電力のために表示部４を消灯状態とする表示消灯スイッチ、３４は給湯機側で沸増し運転中を表示する沸増しランプ、３５は使用者へのお知らせ事項があることを表示するお知らせランプ、表示部４が暖房画面１６でなくとも暖房状態の確認ができるように、暖房室Ａランプ３６、暖房室Ｂランプ３７、暖房室Ｃランプ３８がそれぞれ備えられている。
【００１３】
次にこの一実施形態を示すリモコン装置１では、給湯画面１４の表示中に給湯設定を６０℃に設定すると、直接給湯されることで火傷等の危険があり、「高温注意」の文字表示３９を点滅させて注意を喚起するものであったが、これは給湯画面１４の表示中のことであり、他の表示に切り替えた時にはこの注意の表示ができないものであった。
【００１４】
そこで、この発明では、図３に示すように上記の危険状態で表示部４が暖房画面１６に切り替えられた場合、約１０秒間の所定時間だけ暖房画面１６を表示し、その後自動で給湯画面１４に戻ることで、優先的に給湯画面を１４を表示して給湯温度の危険な状態をユーザーに知らしめるものである。
【００１５】
更に暖房画面１６から給湯画面１４に自動的に切り替わる時には、「給湯画面に変更します。」等音声にて画面変更を知らせるので、リモコン装置が故障したような疑いをユーザーに与える事がないものである。
【００１６】
次に危険な設定状態で表示部４が情報画面２３に切り替えられた場合には、暖房画面１６の時と同じく、必要な情報を検索し、ユーザーが情報確認後に約１０秒間の所定時間だけ情報画面２３を表示し、その後自動で給湯画面１４に戻ることで、優先的に給湯画面を１４を表示して給湯温度の危険な状態をユーザーに知らしめるものである。
【００１７】
給湯温度の設定が６０℃未満の通常設定の場合で、暖房画面１５や情報画面２２を表示している時に、浴室リモコンにて給湯温度設定を６０℃以上の危険温度に変更した場合には、リモコン装置１のでは「浴室リモコンで操作されました。」の音声と共に表示を給湯画面１４に変更し、注意喚起を行うものである。
【００１８】
従って、給湯の設定温度が高温で危険な設定状態である時に優先して給湯画面１４を表示して離れた場所からでも知ることができ、火傷等の怪我をすることなく、危険を未然に回避でき、常に安心して使用できるものである。
また、給湯温度が所定温度以上に設定された場合で、且つ前記選択スイッチ３０にて給湯機以外の機器の運転状態や設定条件を表示する操作を行った場合には、給湯機以外の機器に応じた表示を行い、設定条件の変更や確認を行っても自動で給湯画面１４に戻るので、より安心して使用できるものである。
また、前記給湯画面１４に切り替わる時には、音声にて画面変更を知らせるので、リモコン装置が故障したような疑いをユーザーに与える事がないものである。
【図面の簡単な説明】
【００１９】
【図１】この発明一実施形態のリモコン装置を示すシステム図。
【図２】同リモコン装置の概略説明図。
【図３】同給湯及び暖房画面、情報画面の通常表示と危険表示の画面説明図。
【符号の説明】
【００２０】
１  リモコン装置
４  表示部
５  操作部
３０  選択スイッチ
【図１】
2007040558.tif 000003
【図２】
2007040558.tif 000004
【図３】
2007040558.tif 000005